(57)【要約】      （修正有）【課題】高められた温度で長期間保存されることができ且つその接着性をなお維持することができる非反応性ホットメルト接着剤を提供する。【解決手段】ラクチド（L）とカプロラクトン（C）との少なくとも1.5のモル比（L/C）での反応生成物から実質的に構成されるコポリマーを含む非反応性ホットメルト接着剤。上記接着剤は、カルボジイミド化合物をさらに含み、カルボジイミドの少量でしかし有効な量の存在は、特にそれがより高い温度に曝露される場合に、上記接着剤の封止特性に安定化効果を生じる。さらに、そのような接着剤を製造する為の方法、並びにそのような接着剤によってパッケージを封止する為の方法。【選択図】図１
2019206708.tif 000002
【特許請求の範囲】
【請求項１】
ラクチド（L）とカプロラクトン（C）との少なくとも1.5のモル比（L/C）での反応生成物から実質的に構成されるコポリマーを含む非反応性ホットメルト接着剤であって、上記接着剤がカルボジイミド化合物をさらに含むことを特徴とする、上記接着剤。
【請求項２】
カルボジイミドの量が、カルボジイミド及び上記コポリマーの量に基づいて、0.05〜2.5重量％、好ましくは0.1〜2重量％、の範囲であることを特徴とする、請求項１に記載の非反応性ホットメルト接着剤。
【請求項３】
上記コポリマーの平均分子量Mnが、10000ｇ／モル〜50000ｇ／モル、好ましくは20000ｇ／モル〜40000ｇ／モル、の範囲であることを特徴とする、請求項１又は２に記載の非反応性ホットメルト接着剤。
【請求項４】
上記接着剤が、該接着剤の総重量に基づいて、80重量％までの量でタッキファイヤーをさらに含むことを特徴とする、請求項１〜３のいずれか一項に記載の非反応性ホットメルト接着剤。
【請求項５】
上記接着剤が、該接着剤の総重量に基づいて、40重量％までの量で可塑剤をさらに含むことを特徴とする、請求項１〜４のいずれか一項に記載の非反応性ホットメルト接着剤。
【請求項６】
上記接着剤が安定剤、好ましくは抗酸化剤、をさらに含むことを特徴とする、請求項１〜５のいずれか一項に記載の非反応性ホットメルト接着剤。
【請求項７】
ラクチド（L）とカプロラクトン（C）との少なくとも1.5のモル比（L/C）での反応生成物から実質的に構成されるコポリマーを含む非反応性ホットメルト接着剤を製造する為の方法であって、下記工程、
重合触媒の存在下で、ラクチド及びカプロラクトンを少なくとも1.5のモル比で含む混合物を重合すること、
上記反応の終了後に、ある量のカルボジイミドを、液相の、ラクチドとカプロラクトンとの得られたコポリマーに添加すること
によって特徴付けられる、上記方法。
【請求項８】
上記重合が、160〜200℃の温度で実行されることを特徴とする、請求項７に記載の方法。
【請求項９】
ある量のモノアルコール、好ましくはｎ−ヘキサノール、が上記混合物に添加されることを特徴とする、請求項７又は８に記載の方法。
【請求項１０】
ある量のジアルコール、好ましくはネオペンチルグリコール、が上記混合物に添加されることを特徴とする、請求項７又は８に記載の方法。
【請求項１１】
上記反応の終了後に、ある量の触媒不活性化剤、好ましくはリン化合物、が上記混合物に添加されることを特徴とする、請求項７〜１０のいずれか一項に記載の方法。
【請求項１２】
タッキファイヤーが、上記接着剤の総重量に基づいて、80重量％までの量で上記混合物に添加される、請求項７〜１１のいずれか一項に記載の方法。
【請求項１３】
可塑剤が、上記接着剤の総重量に基づいて、40重量％までの量で上記混合物に添加される、請求項７〜１２のいずれか一項に記載の方法。
【請求項１４】
ある量の液状の非反応性ホットメルト接着剤がパッケージ材料の第１の表面に施与され、その後にパッケージ材料のこの表面及び他の表面が接触されるところの、上記パッケージ材料で作られたパッケージを封止する為の方法であって、請求項１〜６のいずれか一項に記載の非反応性ホットメルト接着剤が使用されることを特徴とする、上記方法。
【請求項１５】
上記パッケージ材料がボール紙材料から構成されることを特徴とする、請求項１４に記載のパッケージを封止する為の方法。
【請求項１６】
パッケージ材料の上記表面がポリオレフィン、好ましくはポリエチレン、の層で被覆されることを特徴とする、請求項１４又は１５に記載のパッケージを封止する為の方法。
【発明の詳細な説明】
【技術分野】
【０００１】
本発明は、ラクチド（L）とカプロラクトン（C）との少なくとも1.5のモル比（L/C）での反応生成物から実質的に構成されるコポリマーを含む非反応性ホットメルト接着剤に関する。本発明はまた、そのような非反応性ホットメルト接着剤を製造する為の方法に関する。本発明は最後に、そのような非反応性ホットメルト接着剤によってパッケージを封止する為の方法に関する。本明細書において使用される場合に、「ホットメルト接着剤」は、流動性粘度の液体を得る為に加熱され、そして基体への施与後に、固体を得る為に冷やされる熱可塑性ポリマー組成物をいう。上記ホットメルト接着剤がその溶融温度よりも低い又はその固化遷移温度よりも低い温度に冷やされることに応じて固化される後に、接着剤接合が上記基体と上記接着剤材料との間に形成される。上記接着剤が施与されることに応じて化学結合が上記接着剤と上記基体との間に本質的に形成されない場合に、上記ホットメルト接着剤は一般的に、非反応性ホットメルト接着剤として言及される。
【背景技術】
【０００２】
ホットメルト接着剤はしばしば、互いに固定された関係で２つの基体を維持するように該２つの基体を一緒に接合する為に使用される。ホットメルト接着剤はまた、上記不織布層とポリマーフィルム層とを一緒に接合する為に、不織布層を含む物品において使用される。ホットメルト接着剤はさらに、パッケージ構築物、例えば、袋、箱、カートン、ケース及びトレイ、を一緒に接着して、当該パッケージを構築する為に、当該パッケージを閉じる為に、又はその両方の為に使用される。
【発明の概要】
【発明が解決しようとする課題】
【０００３】
冒頭の段落において言及された種類の非反応性ホットメルト接着剤は、それ自体知られている。例えば、出版物、Int.  J.  of  Adhesion  &  adhesives，第22巻、（2002年）、第219〜226頁で発行された「Lactic  acid  based  polymers  as  hot  melt  adhesives  for  packaging  applications」は、そのような接着剤を記載する。より特には、この文書は、81/19のモル比（L/C）を有する、ポリ（L−ラクチド）及び（ε−カプロラクトン）に基づくコポリマーの研究に関する。この種類のコポリマーは、それらの生分解性故に関心がある。堆肥環境にいおいて、包装材料の大部分がある一定期間内に分解されることができることは適切である。それ故に、ありうる残りの接着剤材料がまた、同じ期間内に分解されることができることは重要である。
【０００４】
既知の非反応性ホットメルト接着剤は、重要な不利点を示す。その長期の熱安定性が最適でないことが明らかになってきている。従って、上記接着剤がより高い温度に長期間曝露される場合に、上記接着性は許容できない様式で低下するように見える。接着強度の損失の様な望ましくない影響は、特に上記接着剤がおよそ175℃又はそれ以上の温度で数日以上保存される場合に、観察される。そのような曝露期間後に、特に上記パッケージの上記材料がボール紙、木材、及び他の種類の包装材料から構成されている場合に、それはパッケージを封止する為に適切に使用されることができない。
【課題を解決するための手段】
【０００５】
本発明は、前の段落で述べられた技術的問題を軽減すること又は少なくとも減らすことをその目的として有する。より特には、本発明は、高められた温度で長期間保存されることができ且つその接着性をなお維持することができる非反応性ホットメルト接着剤を提供することを目的とする。それ故に、冒頭の段落において定義された種類のそのような改善された接着剤は、さらに経年的に安定である良好な接着性を提供すべきである。本発明はさらに、そのような改善された非反応性ホットメルト接着剤を製造する為の簡単且つ信頼できる方法を提供すること目的とする。本発明の更なる目的は、パッケージ材料、特にボール紙材料、で作られたパッケージを封止する為の方法であって、当該方法において、本発明の接着剤が有利に使用されることが出来るとことの上記方法を提供することを目的とする。
【０００６】
本発明のこれらの且つあり得るさらなる目的は、ラクチド（L）とカプロラクトン（C）との少なくとも1.5のモル比（L/C）での反応生成物から実質的に構成されるコポリマーを含む非反応性ホットメルト接着剤であって、上記接着剤は該接着剤がカルボジイミド化合物をさらに含むことにおいて特徴付けられるところの非反応性ホットメルト接着剤で達成される。適切な化合物の例は、脂肪族カルボジイミド、ジシクロヘキシルカルボジイミド及びイソプロピルカルボジイミドである。特に適切なカルボジイミドは、芳香族カルボジイミドであり、当該化合物のうち、ビス−3−イソシアノエート−4−メチルフェニルカルボジイミドが好例である。適切なカルボジイミド化合物の他の例が、米国特許第4,263,221号明細書に開示されている。
【０００７】
本発明者は、非反応性ホットメルト接着剤中のカルボジイミド化合物の少量でしかし有効な量を含むことが、上記接着剤の接着性の安定性において驚く増加をもたらすことを予想外に見出した。実験的証拠は、カルボジイミド化合物の数重量％以下のオーダーでのほんの少量（上記接着剤における上記コポリマー及びカルボジイミドの総量と比較して）が上記安定効果を示す為に既に十分であることを示している。従って、0.05〜2.5重量％の量が、上記接着剤にその所望の安定な接着性を与える為に既に十分である。カルボジイミドの0.05重量％未満の量は一般に、上記接着性の最適な増加をもたらさない。2.5重量％よりも多い量は、上記接着剤の脆性において望ましくない増加をもたらし、当該脆性は、カルボジイミドの増加する量に伴って増加するように見える。観察される脆性は、一般的に望まれない。カルボジイミドの量が0.1〜2.0重量％の範囲、好ましくは0.2〜1.5重量％の範囲、にあるところの、本発明のホットメルト接着剤の最適な接着性の良好な妥当点が得られる。上記接着剤の必要とされる特性に依存して複数のカルボジイミドの異なる種類の混合物が同様に適用されうるけれども、上記カルボジイミドは単一の組成物として適用されうる。良好な結果が、BioAdimide（登録商標）500XT、及び特にBioAdimide（登録商標）100、のようなBioAdimide（登録商標）タイプのカルボジイミドで得られている。
【０００８】
理論に束縛されること無しに、本発明者等はカルボジイミドの少量でしかし有効な量の存在が、上記接着剤において分解反応を促進した酸の減少をもたらすことを信じている。そのような反応は、上記コポリマーの分解を並びにまた所望の接着性の低下をもたらしうる。本発明に従う上記接着剤中に存在する上記コポリマーは、ラクチド（L）とカプロラクトン（C）との少なくとも1.5のモル比（L/C）での反応生成物から実質的に構成される。上記コポリマー中のより低いラクチド含量を有する接着剤は一般的に、所望の接着性の低下、及び特に、包装材料の封止におけるこれら接着剤の使用の為に必須であるその接着性の低下を示すことに注目される。
【０００９】
本発明の接着剤の上記コポリマーは、ラクチドとカプロラクトンとの反応生成物から実質的に構成されるべきである（すなわち、上記コポリマーの少なくとも80重量％）ことが観察される。好ましくは、上記コポリマーにおけるラクチドとカプロラクトンとの反応生成物の量は、少なくとも90重量％であり、及びさらにより好ましくは上記コポリマーは、他のモノマーを含むこと無しに、ラクチドとカプロラクトンとの反応生成物のみから構成される。この点において、ラクチド及びカプロラクトンに加えて、カプロラクトン以外のグリコライド及びラクトンのような比較的少量の他のモノマー単位がまた、上記コポリマー中に存在しうる。上記コポリマー中の他のモノマー単位を含むことは、上記接着剤のある所望の特性を改善する為に有効でありうる。
【００１０】
ラクチド及びグリコライドの両方が、乳酸及びグリコール酸それぞれの環状ジエステルである。本発明の接着剤に含まれる上記コポリマーの製造の間に、これら成分はそれぞれ、２つの隣接する乳酸及びグリコール酸の単位として、上記コポリマー中に組み込まれることになる。カプロラクトン（正式には、ε−カプロラクトン）は、７員環を有する環状エステル分子である。本発明において、乳酸（ラクチドの代わりに）及びグリコール酸（グリコライドの代わりに）の（縮合）重合が同様に可能であるけれども、上記コポリマーの製造は好ましくは、上記環状エステル及びジエステルの（開環）重合によって実行される。
【００１１】
本発明に従う上記接着剤の関心のある実施態様は、上記コポリマーの平均分子量（Mn）が10000ｇ／モル〜50000ｇ／モルの範囲であることに特徴付けられる。10000ｇ／モル未満の平均分子量を有する接着剤は、室温でホットメルト接着剤としての用途について低くなりすぎうる粘着を有する傾向がある。50000ｇ／モル超の平均分子量を有する非反応性ホットメルト接着剤は、それらの粘度が封止用途における実用的な使用について高くなりすぎ得るという不利益；粘度低下化合物がそのような接着剤を実用的な使用の為に適するようにする為に当該接着剤に添加される必要があるという不利益を被る。20000ｇ／モル〜40000ｇ／モルの範囲にある平均分子量（Mn）を有するコポリマーを含む接着剤は、それらが前に述べられた負の特性の両方間の最適なバランスを示す場合に好ましい。上記平均分子量は、ゲル浸透技術によって決定されている。
【００１２】
本発明のホットメルト接着剤の他の有利な実施態様は、上記接着剤が、該接着剤の総重量に基づいて、80重量％までの量でタッキファイヤーをさらに含む特徴を有する。例えば樹脂又は類似材料として存在するそのようなタッキファイヤーの存在は、上記ホットメルト接着剤に追加の接着強度を提供しうる。タッキファイヤーの例は下記を含みうる：天然及び変性ロジン（例えば、ガムロジン、ウッドロジン、トール油ロジン、蒸留ロジン、水素化ロジン、二量体化ロジン及び重合化ロジン）；天然及び変性ロジンのグリセロール及びペンタエリスリトールエステル（例えば、ペールウッドロジンのグリセロールエステル、水素化ロジンのグリセロールエステル、重合化ロジンのグリセロールエステル、ペールウッドロジンのペンタエリスリトールエステル、水素化ロジンのペンタエリスリトールエステル、トール油ロジンのペンタエリスリトールエステル、及びロジンのフェノール性変性ペンタエリスリトール）；ポリテルペン樹脂及び水素化ポリテルペン樹脂、天然テルペンのコポリマー及びターポリマー（例えば、スチレン−テルペン、アルファ−メチルスチレン−テルペン及びビニルトルエン−テルペン）；脂肪族及びシクロ脂肪族石油系炭化水素樹脂（例えば、分岐及び非分岐C5 樹脂、C9樹脂、及びC10樹脂）；芳香族石油系炭化水素及びそれらの水素化誘導体；脂肪族／芳香族石油由来の炭化水素及びそれらの水素化誘導体；並びに、それらの組み合わせ。上記タッキファイヤーの量は好ましくは、上記接着剤の総重量に基づいて、50％〜70重量％の範囲である。
【００１３】
上記接着剤が、該接着剤の総重量に基づいて、40重量％までの量で可塑剤をさらに含むという特徴を有する、本発明に従う非反応性ホットメルト接着剤がまた有利である。好ましくは5〜30重量％の量でのそのような可塑剤の存在は好ましくは、それが上記接着剤の粘度を調節するという利点を有する。上記可塑剤は、用途の種類に依存して、ワックス（室温で固体）として又は油（室温で液体）として存在しうる。ワックスはしばしば、包装用途（例えば、包装構築物、包装構築物を組み立てる為に、当該構築物を閉じる為に、又はその両方の為に）の為の接着剤において使用されるのに対して、油は頻繁に、不織布用途の為に、特に使い捨て物品（例えば、医療用ドレープ、医療用ガウン、医療用シート、女性用衛生物品、おむつ、成人用失禁物品、動物使用の為の吸収パッド（例えば、ペットパッド）又は人間使用（例えば、身体及び死体）を含む）の為に最適な接着剤において；感圧性接着剤（PSA；pressure  sensitive  adhesives）（接着剤フィルム、アセンブリ、テープ及びラベルにいおいて使用されるPSA）において；並びに様々な基体（例えば、多孔性基体（例えば不織布ウェブ及び有孔フィルム）、フィルム、例えばポリマーフィルム（例えば、ポリエチレン、ポリプロピレン、ポリ塩化ビニリデン、エチレン酢酸ビニル、及びポリエステルフィルム）を含む）上で、適用される。そのような可塑剤の典型的な例は、ワックスについて下記を含む：パラフィンワックス；微結晶性ワックス；フィッシャートロプシュ合成ワックス；ポリエチレンワックス；オキシアルキレンポリマーワックス（例えば、CARBOWAX（商標）ポリエチレングリコール（PEG）600）、及び再生可能な天然資源から（例えば植物源（例えば大豆、綿の実、とうもろこし、ひまわり、キャノーラ、及びパーム）から）得られるワックスとして本明細書において定義された植物由来ワックス。そのような可塑剤の典型的な例は、油について下記を含む：可塑化用油（例えば、鉱油及びナフテン油）；オレフィンオリゴマー、及び低分子量ポリマー；シクロパラフィン油；植物油；例えばひまし油；Cenwax（商標）MEのような水素化植物油；動物油；並びに、そのような油の誘導体。有用なオレフィンオリゴマーの例は、プロピレン、ポリブテン、及び水素化ポリイソプレンを含む。適切な動物油は、脂肪酸のグリセロールエステル及びそれらの重合生成物を含む。可塑剤及びタッキファイヤーの両方が、本発明によって定義される上記接着剤組成物中に存在することが好ましい。しかしながら、上記タッキファイヤーの量が全体の接着剤の40重量％超である場合には、可塑剤は全く必要とされないことが注目される。
【００１４】
本発明の非反応性ホットメルト接着剤の組成物は、任意的にさらなる添加物（例えば、抗酸化剤又は他の安定剤）を、及び、任意的に約1重量％未満の安定剤又は他の添加剤を含みうる。化合物  Irgafos  126の添加は、本発明に従う上記接着剤の望ましくない変色（白から黄色へ）の予防に非常に効果的であることが示されている。
【００１５】
出願人はさらに、本発明の非反応性ホットメルト接着剤がまた所謂「単一成分接着剤」として大変有利に使用されることができることを見出した。このことは、可塑剤（例えば、ワックス若しくは油）又はタッキファイヤーのような更なる主な添加剤の不存在下であっても、そのような接着剤の上記接着性が優れていることを意味するとして理解されるべきである。単一成分接着剤としての本発明の接着剤の用途は、該本発明の接着剤が油由来の成分を実質的に含まないという条件下の場合に、「グリーン」接着剤としてのその潜在性の故に非常に関心がある。それ故に、そのような接着剤は、鉱油炭化水素のマイグレーションの不利益を被らない。その上、これら接着剤は、高い程度まで分解可能である（標準的な条件下で半年の期間で90重量％超）。驚くべきことに、記載された「単一成分接着剤」は、およそ160〜170℃のその共通操作温度まで有効に加熱されることができ、及び／又は、マイクロ波放射によってこの温度レベルで維持されることができる。
【００１６】
本発明はまた、ラクチド（L）とカプロラクトン（C）との少なくとも1.5のモル比（L/C）での反応生成物から実質的に構成されるコポリマーを含む非反応性ホットメルト接着剤を製造する為の方法に関する。本発明の方法は、下記工程：ａ）重合触媒の存在下で、ラクチド及びカプロラクトンを少なくとも1.5のモル比で含む混合物を重合すること、及びｂ）上記反応の終了後に、ある量のカルボジイミドを、液相の、ラクチドとカプロラクトンとの得られたコポリマーに添加することによって特徴付けられる。上記ラクチド及びカプロラクトンは、上記製造されたホットメルト接着剤の上記接着性を最適化する為に、少なくとも1.5のモル比で混合される。前に述べたとおり、上記コポリマーはまた、他の分子、例えばグリコライド又は他のラクトン、を含み得る。上記反応の終了は、上記ラクチド、カプロラクトン及びあり得る追加の反応性モノマーの９０％超がコポリマーに重合される場合に達成される。上記反応の進行は、液体FT-IR測定によって監視される。
【００１７】
上記モノマーの所望の組成物のコポリマーへの重合は、この目的の為に周知である触媒、好ましくは広く使用されているSn−オクトエート、によって触媒される。しかしながら、他の触媒、特に金属触媒（例えば、Zr−配位化合物）、が、同様に使用されうる。金属種が避けられるべきであるある特定の用途について、非金属触媒が同様に使用されうる。重合の間、上記環状モノマーは、開環を経験し、そして得られた線状構造物が線状ポリマー鎖内に含まれる。環状モノマーカプロラクトンの場合に、上記得られた線構造物は単一のモノマーを含む。環状二量体ラクチドの場合に、上記得られた線構造物は２つのラクトイルモノマーの二量体を含む。環状二量体ラクチドの代わりに、上記モノマー乳酸はまた、本発明に従うホットメルト接着剤の製造において使用されうることが強調される。しかしながら、ラクチドの使用は、上記重合工程におけるその取り扱いが乳酸の取り扱いよりもより簡単である場合に、上記コポリマーの生成において好ましい。
【００１８】
ラクチドの使用に関して、この環状二量体分子は、ジアステレオマー関係を有する３つの異なる幾何学的構造で存在することができることに注目される。これらの異なる構造は、R,R−ラクチド（又は、D−ラクチド）、S,S−ラクチド（又は、L−ラクチド）及びR,S−ラクチド（又は、メソ−ラクチド）として区別されることができる。D−及びL−ラクチドの等量の混合物はしばしば、ラセミラクチド又はrac−ラクチドとして言及される。本発明の範囲内において、３つの純粋なラクチド（１つのジアステレオマーのみから構成される）並びに純粋なラクチドの２以上の混合物の両方が使用されることができる。
【００１９】
本発明に従う方法は、好ましくは160〜200℃の温度で実行される。160℃よりも低い温度では、上記反応速度は、工業的用途の為には低すぎると考えられ得る。200℃よりも高い温度では、形成されるポリマーの分解に対するある危険がある。負の特性の両方間で最適なバランスを形成する重合温度は、170〜190℃の範囲で見つけられる。
【００２０】
また関心のあることは、ある量のモノアルコールが上記混合物に添加されるところの本発明の方法の実施態様である。そのようなモノアルコールは、重合反応における開始分子として働くことができる。そのような開始剤の使用は、上記形成されたコポリマーの平均分子量（Mn）の監視及び制御を許す。この目的の為に、線状種類のモノアルコール、例えばアルカノール、は、特にそれらの炭素骨格長が10炭素原子よりも短い場合に、非常に適していることが証明されている。ｎ−ペンタノール、ｎ−ヘキサノール又はｎ−ヘプタノールのような直鎖アルコールが好ましい。
【００２１】
本発明に従う方法の他の関心のある実施態様は、ある量のジアルコールが上記混合物に添加されることに特徴付けられる。開始剤としてのジアルコール、例えば、ブタンジオール、プロパンジオール及びヘキサンジオール、は、前者の開始剤が２つの方向において直線（コ）ポリマーの成長を許す場合に、モノアルコールよりも好ましい。これは、より低い多分散性指数（PDI：polydispersity  index）を有するコポリマーをもたらしうる。この点において、化合物  ネオペンチルグリコールは、有利な開始剤特性を有することが証明されている。
【００２２】
本発明の方法の関心のある更なる実施態様は、ある量の触媒不活性化剤が上記反応の終了後に上記混合物に添加されるという特徴を有する。そのような剤は、分解活性を含む上記コポリマー系における全ての触媒活性を停止する為に使用される。不活性化剤の種類はもちろん、使用される触媒の種類に依存する。Sn−オクトエートが使用される場合に、リン化合物が非常に適切な触媒不活性化剤であることが見つけられている。
【００２３】
また、本発明に従う方法において関心のあることは、タッキファイヤーが、上記接着剤の総重量に基づいて、80重量％までの量で上記混合物に添加されることに特徴付けられる実施態様である。好ましくは50％〜70重量％の範囲の量で且つ例えば樹脂又は類似材料として存在するそのようなタッキファイヤーの添加は、上記ホットメルト接着剤に追加の接着強度を提供しうる。そのような材料の例は、石油蒸留物から蒸留された炭化水素、ロジン及び／又はロジンエステル、及び、例えば木材又は柑橘類から得られるテルペン、並びに本明細書の上記において記載された通りの他の材料である。
【００２４】
また、本発明に従う方法において関心のあることは、可塑剤が、上記接着剤の総重量に基づいて、40重量％までの量で上記混合物に添加されることに特徴付けられる実施態様である。好ましくは5〜30重量％の量でのそのような可塑剤の添加は、それが上記接着剤の粘度を調節するという利点を有する。上記可塑剤は、用途の種類に依存して、ワックス（室温で固体）として又は油（室温で液体）として存在しうる。ワックスはしばしば、包装用途の為の接着剤において使用されるのに対して、油は頻繁に、不織布用途の為に最適な接着剤において、並びに感圧性接着剤（PSA、テープ及びラベルにおいて使用される）において、及び前の段落において記載された通りの他の用途に最適な接着剤において適用される。そのような可塑剤の典型的な例は、前に記載された通りの、鉱油、ポリブテン、パラフィン油、エステル油などを含む。可塑剤及びタッキファイヤーの両方が、本発明によって定義される上記接着剤組成物に添加されることが好ましい。
【００２５】
本発明はまた、ある量の液状の非反応性ホットメルト接着剤がパッケージ材料の第１の表面に施与され、その後にパッケージ材料のこの表面及び他の表面が接触されるところの、上記パッケージ材料で作られたパッケージを封止する為の方法に関する。本発明に従うと、非反応性ホットメルト接着剤は、上記で定義された通りとして使用される。原則として、異なる種類のパッケージ材料が使用されうる。しかしながら、我々の発明は、上記パッケージ材料がボール紙材料である場合に、大きな効果で働くことが示されている。上記方法は特に、上記パッケージ材料（例えば、ボール紙）がポリオレフィン、好ましくはポリエチレン、の層で被覆されるところのパッケージを封止するために有用である。本発明のホットメルト接着剤を使用して、ポリエチレンのようなポリオレフィンで該表面上で被覆されている基体上で高い接着強度が実現されることができることが示された。相互にホットメルト接着剤で接着された後にそのような被覆された基体のはく離は、上記ポリオレフィン被覆と上記ホットメルト接着剤との間の界面に沿った亀裂よりも、複数の基体又は１つの基体被覆の材料破壊をもたらした。
【００２６】
本発明に従う非反応性ホットメルト接着剤は、感圧性接着剤（PSA）のような及び不織布（衛生吸収性製品、例えば幼児用おむつ、成人用失禁製品、女性用衛生製品）のような他の用途において、並びに、前の段落に於いて記載された通りの他の用途において使用されることがさらに観察される。より一般的に、ホットメルト接着剤のこの種類についての典型的な市場は、パッケージング、不織布、テープ及びラベルである。本発明の上記接着剤はまた、製本、発泡体接着、ヒート・シール用途、カーペット封止、バッグの端の封止、接着フィルター媒体、絶縁接着、耐久財製造（例えば、靴及び他の運動競技用衣服）、木材加工、建造、自動車用途、電化製品用途、及び組み立て用途（例えば、フィルター媒体、絶縁体、及び接着）において有用でありうる。
【００２７】
本発明は、幾つかの実験及び図面によってより詳細に説明されるだろう。
【図面の簡単な説明】
【００２８】
【図１】カルボジイミドの様々な濃度（c，重量％で）を含有する多くの非反応性ホットメルト接着剤の絶対引張強度（ATS：absolute  tensile  strength）が描かれているグラフを示す。
【発明を実施するための形態】
【００２９】
カプロラクトン／ラクチドランダムポリマーの製造
【００３０】
非反応性ホットメルト接着剤が、以下のように調製された。攪拌機、温度計、ガス入口及び凝縮器を備え付けられた反応器において、300重量部のカプロラクトン（Brand  Perstorp）、700重量部のL−ラクチド（Puralact（登録商標）B3）、及び6.99重量部の開始剤としてのネオペンチルグリコール（NPG）が仕込まれた。上記温度は、上記ラクチドを溶融する為に、大気圧下で窒素雰囲気において150℃に上げられた。引き続き、上記温度は180℃に上げられ、その後、100ppmの重合触媒としてのSn−オクトエートが上記反応混合物に添加された。上記混合物は、上記反応が終了するまでおよそ6時間反応された。開環反応は、絶対ゲル浸透クロマトグラフィー技術によって測定される場合におよそ30000ｇ／モルの平均分子量（Mn）を有するコポリマーが得られるように行われた。全ての成分が最初に混合され且つ反応される場合に、ランダムポリエステルポリマーが形成された。
【００３１】
上記反応は、少量の触媒不活性化剤（ここで、150  ppm  ADK  STAB  AX-71）を添加し、そして、およそ20分間当該溶液を撹拌することによって終了された。上記反応の終了後に、ある量のカルボジイミド（ここで、firm  Rhein  ChemieのBioAdimide（登録商標）100）が、液相の上記形成されたポリマーに添加された。当該量は、0〜3.5重量％で変化した。幾つかの実験において、ワックス及び／又はタッキファイヤーが添加された（両方とも、上記接着剤の総量に計算された場合に、25重量％）。
【００３２】
可変量のカルボジイミドを有するこのようにして得られた非反応性ホットメルト接着剤のサンプル並びにカルボジイミド無しの比較サンプルが、175℃で、48時間保持された。これらのサンプルを用いて、重ね剪断試験が下記条件を用いて実行された。
【００３３】
100mm  x  25mmの基体が、160〜170℃でサンプル接着剤の層で被覆された。引き続き、２つのそのような基体は、25mm  x  25mmの重なり領域が形成されるように接着された。上記重ね剪断が、万能試験機（Instron  3366）を用いて４回試験された。最大負荷が記録され、そして平均が取られた。
【００３４】
これら試験の結果が、図１に示される。この図において、絶対引張強度（ATS）が、添加されたカルボジイミドの量の関数（重量％において濃度c）として示される。左の列は、BioAdimideの添加直後のカルボジイミド濃度当たりのサンプルのATSを示す。これらの列のATSは、100％に正規化された。右の列は、48時間、175℃の温度でこれらのサンプルを保存した後のATSにおける変化を示す。
【００３５】
上記グラフから、上記添加されたカルボジイミド無しのサンプル（グラフ中の最も左側）は、48時間、175℃の温度でこれらのサンプルを保持した後にATSにおける有意な減少を示すと結論付けられた。長時間加熱は、ATSのさらにより大きな減少を示した（データは示さず）。しかしながら、カルボジイミドを含むサンプルは、これらのサンプルが48時間、175℃の温度で保持された後に、ATSにおける減少を示さなかった。この減少は、上記カルボジイミドの0.5重量％のみを含むサンプルにおいてさえも存在しない。これらカルボジイミドを含むサンプルの長時間加熱は、ATSがおよそ100％で安定したままであることを示した（データは示さず）。およそ2.50重量％のカルボジイミドを含むサンプルは、48時間、175℃の温度でこれらサンプルを保持された後に上記形成された接着剤層の脆性を示した。この効果は、3.5重量％の上記カルボジイミドを含んだサンプルにおいてさらにより顕著であった。
【００３６】
当業者は、本発明が好ましい実施態様に決して制限されないことを理解するであろう。開示された実施態様の他の変更は、図面、明細書及び添付の特許請求の範囲の検討から、請求された発明を実施する際の当業者によって理解され且つ達成されることが出来る。特許請求の範囲において、語「含む」は、他の要素又は工程を排除するものでなく、且つ、不定冠詞「a」又は「an」は、複数を排除するものでない。ある手段が相互に異なる従属請求項において引用されているという単なる事実は、これらの尺度の組み合わせが有利に使用されることができないことを示すものではない。
【図１】
2019206708.tif 000003
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
ラクチド（L）とカプロラクトン（C）との少なくとも1.5のモル比（L/C）での反応生成物の少なくとも80重量％から構成されるコポリマーを含む非反応性ホットメルト接着剤であって、上記接着剤がカルボジイミド化合物をさらに含み、カルボジイミドの量が、カルボジイミド及び上記コポリマーの量に基づいて、0.05〜2.5重量％であり、上記接着剤が、該接着剤の総重量に基づいて、80重量％までの量でタッキファイヤーをさらに含むことを特徴とする、上記接着剤。
【請求項２】
カルボジイミドの量が、カルボジイミド及び上記コポリマーの量に基づいて、0.1〜2重量％であることを特徴とする、請求項１に記載の非反応性ホットメルト接着剤。
【請求項３】
上記コポリマーの平均分子量Mnが、10000ｇ／モル〜50000ｇ／モルであることを特徴とする、請求項１又は２に記載の非反応性ホットメルト接着剤。
【請求項４】
上記接着剤が、該接着剤の総重量に基づいて、40重量％までの量で可塑剤をさらに含むことを特徴とする、請求項１〜３のいずれか一項に記載の非反応性ホットメルト接着剤。
【請求項５】
上記接着剤が安定剤をさらに含むことを特徴とする、請求項１〜４のいずれか一項に記載の非反応性ホットメルト接着剤。
【請求項６】
ラクチド（L）とカプロラクトン（C）との少なくとも1.5のモル比（L/C）での反応生成物の少なくとも80重量％から構成されるコポリマーを含む非反応性ホットメルト接着剤を製造する為の方法であって、下記工程、
重合触媒の存在下で、ラクチド及びカプロラクトンを少なくとも1.5のモル比で含む混合物を重合すること、
上記反応の終了後に、ある量のカルボジイミドを、液相の、ラクチドとカプロラクトンとの得られたコポリマーに添加すること、ここで、カルボジイミドの量が、カルボジイミドの量が、カルボジイミド及び上記コポリマーの量に基づいて、0.05〜2.5重量％である
によって特徴付けられる、上記方法。
【請求項７】
上記重合が、160〜200℃の温度で実行されることを特徴とする、請求項６に記載の方法。
【請求項８】
ある量のモノアルコールが上記混合物に添加されることを特徴とする、請求項６又は７に記載の方法。
【請求項９】
ある量のジアルコールが上記混合物に添加されることを特徴とする、請求項６又は７に記載の方法。
【請求項１０】
上記反応の終了後に、ある量の触媒不活性化剤が上記混合物に添加されることを特徴とする、請求項６〜９のいずれか一項に記載の方法。
【請求項１１】
タッキファイヤーが、上記接着剤の総重量に基づいて、80重量％までの量で上記混合物に添加される、請求項６〜１０のいずれか一項に記載の方法。
【請求項１２】
可塑剤が、上記接着剤の総重量に基づいて、40重量％までの量で上記混合物に添加される、請求項６〜１１のいずれか一項に記載の方法。
【請求項１３】
ある量の液状の非反応性ホットメルト接着剤がパッケージ材料の第１の表面に施与され、その後にパッケージ材料のこの表面及び他の表面が接触されるところの、上記パッケージ材料で作られたパッケージを封止する為の方法であって、請求項１〜５のいずれか一項に記載の非反応性ホットメルト接着剤が使用されることを特徴とする、上記方法。
【請求項１４】
上記パッケージ材料がボール紙材料から構成されることを特徴とする、請求項１３に記載のパッケージを封止する為の方法。
【請求項１５】
パッケージ材料の上記表面がポリオレフィンの層で被覆されることを特徴とする、請求項１３又は１４に記載のパッケージを封止する為の方法。